(57)【特許請求の範囲】
【請求項１】
車体後部に設置されて上方ヒンジ部を支点に揺動変位することにより後方開口部を開閉可能に覆うバックドアと、この後方開口部の前方側に位置する後部荷室の上方部を覆うように設置されるトノカバーと、このトノカバーの後端部に設けられた引き棒と、この引き棒の左右両端部をスライド自在に支持する左右一対のガイドレールと、上記引き棒の左右両端部をバックドアに連結する連結リンクとを有し、バックドアの開閉操作に応じた駆動力が上記連結リンクを介して引き棒に伝達されることによりガイドレールに沿って引き棒がスライド変位するとともに、これに連動してトノカバーの後端部が昇降駆動されるように構成されたトノカバーの開閉装置であって、
上記ガイドレールは、後下がりに傾斜した状態で上下方向に延びるように設置され、かつその上端部が上記後方開口部の上辺部より所定距離だけ前方に離間した位置まで延出しており、
上記連結リンクは、上記バックドアの開放時に上記後方開口部の上辺部と干渉しないように上下方向中間部を車体の後方側に突出させた屈曲形状に形成され、
車体の側面から見て上記ガイドレールの上下方向中央部を車体の前部下方側に向けて凹入させるように湾曲させるとともに、バックドアの閉止操作時に、上記連結リンクから引き棒に作用する閉止操作力の入力方向とガイドレールによる引き棒のガイド方向とがなす角度が鈍角となるように、このガイドレールによる引き棒のガイド方向を設定したことを特徴とするトノカバーの開閉装置。
【請求項２】
ガイドレールの上端部における閉止操作力の入力方向と引き棒のガイド方向とがなす角度を、ガイドレールの上下方向中間部における閉止操作力の入力方向と引き棒のガイド方向とがなす角度よりも大きな値に設定したことを特徴とする請求項１に記載のトノカバーの開閉装置。
【請求項３】
ガイドレールの下端部における引き棒のガイド方向を略水平に設定したことを特徴とする請求項１または２に記載のトノカバーの開閉装置。
【請求項４】
閉止操作力の入力方向と引き棒のガイド方向とがなす角度が変化する部位では、この角度を連続的に変化させたことを特徴とする請求項２または３に記載のトノカバーの開閉装置。
【請求項５】
ガイドレールの上方部を、車体の側面から見て後下がりに傾斜して略直線状に延びる後方開口部からその前方側に離間させるとともに、ガイドレールの下端部を、上記後方開口部に近接させるようにガイドレールを設置したことを特徴とする請求項１〜４の何れか１項に記載のトノカバーの開閉装置。
【請求項６】
上記連結リンクのガイドレールに対する連結点を、車体の後面から見て、連結リンクのバックドアに対する連結点よりも車外側に位置させたことを特徴とする請求項１〜５の何れか１項に記載のトノカバーの開閉装置。
【発明の詳細な説明】
【技術分野】
【０００１】
本発明は、車体後部に設けられたバックドアの開閉操作に連動してトノカバーの後端部が昇降変位するように構成されたトノカバーの開閉装置に関するものである。
【背景技術】
【０００２】
従来、下記特許文献１に示されるように、車体に枢着された水平軸の回りに旋回可能に支持されて車両の後方開口部を覆うバックドア（テールゲート）と、後部荷室の上面を覆うためのトノカバー（ローラブラインド）と、上記後方開口部の側縁部に沿って取り付けられた二本のガイドレールと、トノカバーの後端部に設けられた引き棒が着脱可能に係止されるスライダ（ガイドスライド）と、このスライダをバックドアに接続する連結棒とを備え、バックドアの開閉操作時に上記連結棒からスライダに入力される駆動力に応じ、このスライダを上記ガイドレールに沿って強制的にスライド変位させることにより、上記引き棒を下方のトノカバー閉止位置と上方のトノカバー開放位置とに移動させることが行われている。
【特許文献１】特許第３６１３５８１号明細書
【発明の開示】
【発明が解決しようとする課題】
【０００３】
上記特許文献１に開示されているように、バックドアの開閉操作に応じて上記スライダをガイドレールに沿って昇降変位させることにより、トノカバーの後端部に設けられた引き棒を、下方のトノカバー閉止位置と上方のトノカバー開放位置とに自動的に移動させるように構成すれば、別体の駆動手段を設けることなく、バックドアの開放時には、後部荷室に対する荷物の出し入れを容易に行い得るようにトノカバーを上方の開放位置に変位させ、かつバックドアの閉止時には、後部荷室内の収容物を隠蔽し得るようにトノカバーを下方の被覆位置に変位させることが可能である。
【０００４】
しかし、上記特許文献１に開示されたトノカバー装置では、上記スライダをスライド自在に支持するガイドレールが、車体の後面から見て上窄まりに傾斜した後方開口部の左右両側辺部に沿って設置されているので、バックドアの開放時に引き棒を上方のトノカバー開放位置に上昇させた場合と、バックドアの閉止時に引き棒を下方のトノカバー閉止位置に下降させた場合とで、左右のガイドレールの設置間隔が変化することになる。このため、上記特許文献１に係るトノカバー装置では、引き棒の左右両端部に突出量が変化する出没ピンを設け、この出没ピンの突出量を上記引き棒の昇降変位に対応させて変化させることにより、この引き棒の左右両端部を、上記出没ピンおよびスライダを介して常にガイドレールに支持させるように構成しており、構造が複雑であるとともに、上記引き棒の昇降変位時にその左右両端部にがたつき等が生じ易い等の問題がある。
【０００５】
なお、車両の後面視において左右のガイドレールを平行に設置することにより、引き棒の左右両端部に出没ピンを設けることなく、引き棒の左右両端部を、常時ガイドレールに支持させることも考えられるが、このように構成した場合には、車体の後面から見て後方開口部の左右両側辺部が上窄まりに傾斜していることに起因して、ガイドレールの下端部が後方開口部の内方側に出っ張った状態となることが避けられず、後部荷室に対して荷物を出し入れする際に上記ガイドレールが邪魔になるという問題がある。しかも、左右のガイドレールの設置間隔が狭くなることに起因して後方視界が悪化するとともに、両ガイドレールの間に設置されるトノカバーの幅寸法が小さなることが避けられない等の欠点がある。
【０００６】
また、車体の後面から見て左右のガイドレールを平行になるように設置した場合でも、後部荷室に対する荷物の出し入れを行う際に上記ガイドレールが邪魔になること等を防止するために、上記左右のガイドレールを、車両の後方開口部よりも所定距離だけ前方側に配設することも考えられる。しかし、このように構成した場合には、開放状態にあるバックドアの閉止操作を開始する際に、上記連結棒から引き棒を介してスライダに作用する閉止操作力の入力方向が、ガイドレールの設置方向に対して直角に近い角度で作用することにより、上記スライダをスライド変位させる際の摩擦力が大きくなることが避けられず、バックドアの開閉操作に連動してトノカバーの後端部をスムーズに昇降駆動することが困難であるという問題がある。
【０００７】
本発明は、上記の問題点に鑑みてなされたものであり、車体後部に設けられたバックドアの開閉操作に連動してトノカバーの後端部をスムーズに昇降駆動することができるトノカバー開閉装置を提供することを目的としている。
【課題を解決するための手段】
【０００８】
請求項１に係る発明は、車体後部に設置されて上方ヒンジ部を支点に揺動変位することにより後方開口部を開閉可能に覆うバックドアと、この後方開口部の前方側に位置する後部荷室の上方部を覆うように設置されるトノカバーと、このトノカバーの後端部に設けられた引き棒と、この引き棒の左右両端部をスライド自在に支持する左右一対のガイドレールと、上記引き棒の左右両端部をバックドアに連結する連結リンクとを有し、バックドアの開閉操作に応じた駆動力が上記連結リンクを介して引き棒に伝達されることによりガイドレールに沿って引き棒がスライド変位するとともに、これに連動してトノカバーの後端部が昇降駆動されるように構成されたトノカバーの開閉装置であって、上記ガイドレールは、後下がりに傾斜した状態で上下方向に延びるように設置され、かつその上端部が上記後方開口部の上辺部より所定距離だけ前方に離間した位置まで延出しており、上記連結リンクは、上記バックドアの開放時に上記後方開口部の上辺部と干渉しないように上下方向中間部を車体の後方側に突出させた屈曲形状に形成され、車体の側面から見て上記ガイドレールの上下方向中央部を車体の前部下方側に向けて凹入させるように湾曲させるとともに、バックドアの閉止操作時に、上記連結リンクから引き棒に作用する閉止操作力の入力方向とガイドレールによる引き棒のガイド方向とがなす角度が鈍角となるように、このガイドレールによる引き棒のガイド方向を設定したものである。
【０００９】
請求項２に係る発明は、上記請求項１に記載のトノカバーの開閉装置において、ガイドレールの上端部における閉止操作力の入力方向と引き棒のガイド方向とがなす角度を、ガイドレールの上下方向中間部における閉止操作力の入力方向と引き棒のガイド方向とがなす角度よりも大きな値に設定したものである。
【００１０】
請求項３に係る発明は、上記請求項１または２に記載のトノカバーの開閉装置において、ガイドレールの下端部における引き棒のガイド方向を略水平に設定したものである。
【００１１】
請求項４に係る発明は、上記請求項２または３に記載のトノカバーの開閉装置において、閉止操作力の入力方向と引き棒のガイド方向とがなす角度が変化する部位では、この角度を連続的に変化させたものである。
【００１２】
請求項５に係る発明は、上記請求項１〜４の何れか１項に記載のトノカバーの開閉装置において、ガイドレールの上方部を、車体の側面から見て後下がりに傾斜して略直線状に延びる後方開口部からその前方側に離間させるとともに、ガイドレールの下端部を、上記後方開口部に近接させるようにガイドレールを設置したものである。
【００１３】
請求項６に係る発明は、上記請求項１〜５の何れか１項に記載のトノカバーの開閉装置において、上記連結リンクのガイドレールに対する連結点を、車体の後面から見て、連結リンクのバックドアに対する連結点よりも車外側に位置させたものである。
【発明の効果】
【００１４】
請求項１に係る発明によれば、別体の駆動手段を設けることなく、バックドアの開閉操作に連動させてトノカバーの後端部を昇降駆動することができるとともに、車体の後面視において左右のガイドレールの設置間隔を充分に確保しつつ、左右のガイドレールを平行に設置することができ、しかも、開放状態にあるバックドアの閉止操作を開始する際に、上記引き棒をガイドレールに沿ってスライド変位させる際の摩擦抵抗が大きくなるのを抑制することにより、トノカバーの後端部をスムーズに昇降駆動できるという利点がある。
【００１５】
また、ガイドレールの上端部を後方開口部の上辺部の前方まで延出させることにより、バックドアの開放時にトノカバーの後端部を大きく上方に移動させながら、連結リンクの上下方向中間部を車体の後方側に突出させることにより、連結リンクが後方開口部の上辺部に当接するのを効果的に防止できるという利点がある。
【００１６】
請求項２に係る発明によれば、静止摩擦力が作用するバックドアの閉止操作を行う際の初期段階において、上記連結リンクから引き棒に入力される閉止操作力に対応して引き棒を下方にスライド変位させる移動力を充分に確保するとともに、上記閉止操作力に対応した摩擦抵抗を充分に低く抑えることにより、バックドアの閉止操作に応じて上記引き棒をスムーズに昇降駆動できるという利点がある。
【００１７】
請求項３に係る発明によれば、製作誤差または使用による変形等が生じることに起因してバックドアの閉止時点における上記引き棒のガイド位置に多少の変化が生じた場合でも、トノカバーの上下位置が変化するという事態を生じるのを効果的に防止し、これによってトノカバーを下方に閉止位置に移動させた際に、その設置高さおよび設置方向が変化するのを防止できるという利点がある。
【００１８】
請求項４に係る発明によれば、上記閉止操作力の入力方向と引き棒のガイド方向とがなす角度が変化する部位において、この角度を連続的に変化させるように構成したため、この角度が上記部位で急変することに起因して引き棒のスライド変位時に、がたつきが生じるのを効果的に防止し、この引き棒をガイドレールに沿ってスムーズにスライド変位させることができる。
【００１９】
請求項５に係る発明によれば、バックドアの開放時に、連結リンクの上方部が後部ピラー等に干渉するのを防止するとともに、車体の後面視において左右ガイドレールの設置間隔を充分に確保しつつ、左右ガイドレールを平行に設置することができ、かつバックドアの閉止状態では、上記引き棒およびトノカバーの後端部を後方開口部の側辺部に近接した位置まで移動させることにより、上記後部荷室の後部を含む略全領域をトノカバーによって被覆できるという利点がある。
【００２０】
請求項６にかかる発明によれば、連結リンクのガイドレールに対する連結点をドア側の連結点よりも車外側に位置させて左右ガイドレールの設置間隔を充分に確保することにより、両ガイドレール間に配設されるトノカバーの幅寸法を大きくすることができるとともに、後部荷室に対して荷物の出し入れを行う際に上記ガイドレールが邪魔になるのを防止できる等の利点がある。
【発明を実施するための最良の形態】
【００２１】
図１〜図３は本発明に係るトノカバー開閉装置の実施形態を示している。このトノカバー開閉装置は、車体後部に設置されて上方ヒンジ部１を支点に揺動変位することにより後方開口部２を開閉可能に覆うバックドア３と、この後方開口部２の前方側であって乗員用シート（後部シート）のシートバック４の後方側に形成された後部荷室５の上方部を覆うように設置されるトノカバー６と、このトノカバー６の後端部に設けられた引き棒７と、この引き棒７の左右両端部をスライド自在に支持する左右一対のガイドレール８と、上記引き棒７の左右両端部をバックドア３に連結してバックドア３の開閉操作に応じた駆動力を引き棒７に伝達することによりガイドレール８に沿って引き棒７をスライド変位させるとともに、これに連動してトノカバー６の後端部を昇降駆動する連結リンク９とを有している。なお、図１〜図３において、符号Ｓは、後方開口部２の周縁に沿って設置されるシール部材の設置ラインを示している。
【００２２】
トノカバー６は、上記シートバック４の背面上部に沿って設置された収納ケース１０と、上記ガイドレール８に支持された引き棒７との間に設置されるシート状体により構成されている。上記収容ケース１０内には、トノカバー６を巻き取る方向に付勢する巻取機構が配設され、この巻取機構の付勢力に応じた張力がトノカバー６に付与されつつ、上記引き棒７を介してトノカバー６に入力される引出力に応じ、上記収容ケース１０内からトノカバー６が引き出されるようになっている。
【００２３】
上記トノカバー６の後端部は、図４に示すように、引き棒７の前面に形成されたスリット７ａ内に挿入されて止着されるとともに、上記引き棒７の後端部には、後部荷室５の後部上面を被覆する合成樹脂板からなる被覆板１１が一体に形成されている。さらに、上記トノカバー６と引き棒７との連結部の側方部には、合成樹脂材からなる補強部材１２が設置され、この補強部材１２により上記トノカバー６の後端側方部と、引き棒７の側方部とが一体に挟持されるようになっている。
【００２４】
また、上記引き棒７の側端部には、トノカバー６を上記連結リンク９に結合するための結合ブラケット１３が設けられている。この結合ブラケット１３は、ガイドレール８の内側面に沿ってスライド自在に支持される基板１４を有し、この基板１４の後部には、連結リンク９の係止孔１５が形成されるとともに、上記基板１４の前部内面には、後端部が開口したＵ字状の係止部１６が突設されている。そして、この係止部１６に引き棒７の側端部が係脱可能に係止されるとともに、トノカバー６の後端部を前方側に付勢する上記巻取機構の付勢力に応じて上記引き棒７の係止状態が保持されるようになっている。
【００２５】
上記連結リンク９は、水平方向に延びる上端枢支部１８と、車体の側面から見てこの上端枢支部１８の内側端部から斜め後部下方側に垂下する垂下部１９と、この垂下部１９の下端部から斜め前部下方側に延びる折曲部２０と、この折曲部２０の下端部から車外側に向けて水平に延びる下端枢支部２１とを有し、丸棒を折曲げ加工する等により形成されている。そして、上記連結リンク９の下端枢支部２１の外側端部が上記結合ブラケット１３の係止孔１５およびガイドレール８のガイド溝２２に挿通され、その挿通端部にナット２３が螺着されることにより上記下端枢支部２１がガイドレール８に係止されるとともに、上記連結リンク９の上端枢支部１８の外側端部が取付ブラケット２４を介してバックドア３の上部内面に取り付けられることにより、この連結リンク９を介してバックドア３と引き棒７とが連結されている。
【００２６】
また、上記連結リンク９は、その下端枢支部２１の突出量が、上端枢支部１８よりも大きな値に設定されるとともに、上記垂下部１９および折曲部２０が車体の後面から見て下部外方側に延びるように傾斜した状態で設置されている。これにより、図２および図３に示すように、上記結合ブラケット１３に対する下端枢支部２１の連結点からなるレール側枢支点Ｌ２が、上記バックドア３に対する上端枢支部１８の連結点からなるドア側枢支点Ｌ１よりも車外側に位置するように配設されるとともに、上記上端枢支部１８に連設された連結リンク９の垂下部１９が後方開口部２の側辺部よりも車体の内方側に配設されている。そして、上記ドア側枢支点Ｌ１とレール側枢支点Ｌ２とを結ぶ仮想線Ｌが、下端部に至る程、車幅方向の外方側に位置するように傾斜することにより、上窄まりに傾斜した後方開口部２の側辺部を構成する後部ピラー２５に沿って上記仮想線Ｌが設置されている。
【００２７】
また、上記連結リンク９の垂下部１９に対して上記折曲部２０が車体の前方側に向けて斜めに延びるように設置されることにより、図１に示すように車体の側面から見て、上記連結リンク９は、その上下方向中間部が車体の後方側に突出したＬ字状に形成されている。さらに、図２に示すように、車体の後面から見て、上記連結リンク９の垂下部１９および折曲部２０が下広がりに傾斜した状態で設置されることにより、バックドア３の閉止時に、上記連結リンク９が後方開口部２の側辺部を構成する後部ピラー２５の内側面に沿うように配設されるようなっている。
【００２８】
上記ガイドレール８は、連結リンク９の下端枢支部２１が摺動するガイド溝２２を有するプレート材等からなり、車体の側面から見て上下方向の中央部が車体の前部下方側に向けて凹入するように湾曲した状態で設置されるとともに、車体の後面から見て左右のガイドレール８がそれぞれ鉛直方向に沿って平行に設置されている。そして、バックドア３の閉止操作時に、ガイドレール８に支持された引き棒７に、上記連結リンク９および上記結合ブラケット１３を介して入力される閉止操作力の入力方向と、上記ガイドレール８による引き棒７のガイド方向とがなす角度が鈍角となるように、このガイドレール８による引き棒７のガイド方向が設定されている。
【００２９】
すなわち、バックドア３の閉止操作時には、図５に示すように車体の側面から見て、連結リンク９の上端枢支部１８と下端枢支部２１とを結ぶ線分に沿った方向Ａに閉止操作力が入力され、この閉止操作力の入力方向Ａを、上記ガイドレール８のガイド方向Ｂに直交する方向Ｃに延びる線分よりも前方側に位置させるように、上記閉止操作力の入力方向Ａおよびガイドレール８のガイド方向Ｂを設定することにより、上記閉止操作力の入力方向Ａとガイドレール８のガイド方向Ｂとがなす角度θが鈍角となるように構成されている。
【００３０】
また、バックドア３の閉止操作が進むに連れて上記閉止操作力の入力方向Ａが鉛直状態に近付くとともに、閉止操作の最終段階では、上記閉止操作力の入力方向Ａが前下がり方向に変化することとなるが、これに対応してガイドレール８のガイド方向Ｂを水平に近付けるように変化させることにより、閉止操作力の入力方向Ａと引き棒７のガイド方向Ｂとがなす角度θが略一定値に維持されるようになっている。なお、図５において、符号Ｄで表す円弧状の線分は、バックドア３の閉止操作に対応した上端枢支部１８の移動軌跡であり、符号１は、バックドア３の揺動支点となる上方ヒンジ部である。
【００３１】
上記のように閉止操作力の入力方向Ａとガイドレール８のガイド方向Ｂとがなす角度θを鈍角に設定することにより、図６（ａ）に示すように、連結リンク９の下端枢支部２１から上記引き棒７に入力される閉止操作力Ｆに応じ、上記ガイドレール８に沿って連結リンク９の下端枢支部２１および引き棒７を下方にスライド変位させる移動力Ｇが作用することになる。また、図６（ｂ）に示すように、上記角度θが小さくなって直角に近い値となるのに応じ、上記移動力Ｇが小さくなるとともに、閉止操作力Ｆの上記ガイド方向Ｂと直交する方向Ｃに作用する分力Ｈが大きくなるため、この分力Ｈに摩擦係数μをかけた値により表される摩擦力、つまり上記ガイドレール８に沿って連結リンク９の下端枢支部２１をスライド変位させる際に生じる摩擦抵抗が大きくなる傾向がある。
【００３２】
上記連結リンク９の下端枢支部２１および引き棒７をガイドレール８に沿って下方にスライド変位させる際の摩擦力と、上記角度θとの対応関係を実験により調べたところ、この角度θが１１０°以上であれば、上記摩擦力に抗して連結リンク９の下端枢支部２１および引き棒７を下方にスライド変位させることが可能であることが確認された。この実験例から、閉止操作力Ｆの入力方向Ａと引き棒７のガイド方向Ｂとがなす角度θを、ガイドレール８の全域に亘って１１０°以上に設定することにより、バックドア３の開閉操作時に上記連結リンク９から引き棒７に入力される駆動力に応じ、この引き棒７をガイドレール８に沿ってスムーズにスライド変位させことができ、上記トノカバー６を上方の開放位置から下方の閉止位置に移動させ得ることが検証された。
【００３３】
また、バックドア３の閉止操作を行う際の初期段階、つまり上記連結リンク９の上端枢支部１８がガイドレール８の上端部に位置している状態では、大きな静止摩擦力が作用する。したがって、この静止摩擦力に抗して上記引き棒７をスムーズにスライド変位させることにより、上記トノカバー６を上方の開放位置から下方に閉止位置に変位させるためには、ガイドレール８の上端部における上記閉止操作力Ｆの入力方向Ａとガイドレール８のガイド方向Ｂとがなす角度θを、ガイドレール８の上下方向中間部および下方部よりも大きな値、例えば１３５°程度に設定することが好ましい。
【００３４】
さらに、上記閉止操作力の入力方向Ａと引き棒７のガイド方向とＢのなす角度θが変化する部位、つまりこの角度θが下方部に比べて大きな値（１３５°程度）に設定されたガイドレール８の上端部と、上記角度θが小さな値（１１０°程度）に設定されたガイドレール８の上下方向中間部との間に位置する部位では、上記角度θが１３５°から１１０°に連続的（リニア）に変化するように、上記ガイドレール８による引き棒７のガイド方向Ｂが設定されている。
【００３５】
上記ガイドレール８の下端部における引き棒７のガイド方向Ｂ、つまりバックドア３の閉止操作の最終段階における上記引き棒７のガイド方向Ｂは、図５に示すように略水平に設定されている。また、図１に示すように車体の側面から見て、上記ガイドレール８の上方部が、後下がりに傾斜して略直線状に延びる上記後部ピラー２５により規定される後方開口部２からその前方側に離間するとともに、上記ガイドレール８の下端部が、上記後方開口部２に近接するように配設されている。
【００３６】
上記のように車体後部に設置されて上方ヒンジ部１を支点に揺動変位することにより後方開口部２を開閉可能に覆うバックドア３と、この後方開口部２と乗員用シートのシートバック４との間に形成された後部荷室５の上方部を覆うように設置されるトノカバー６と、このトノカバー６の後端部に設けられた引き棒７と、この引き棒７の左右両端部をスライド自在に支持する左右一対のガイドレール８と、上記引き棒７の左右両端部をバックドア３に連結する連結リンク９とを有し、バックドア３の閉止操作力Ｆが上記連結リンク９を介して引き棒７に伝達されることによりガイドレール８に沿って引き棒７がスライド変位するとともに、これに連動してトノカバー６の後端部が昇降駆動されるように構成されたトノカバーの開閉装置であって、車体の側面から見て上記ガイドレール８の上下方向中央部を車体の前部下方側に向けて凹入させるように湾曲させるとともに、バックドア３の閉止操作時に、上記連結リンク９から引き棒７に入力される閉止操作力Ｆの入力方向Ａとガイドレール８による引き棒７のガイド方向Ｂとがなす角度θが鈍角となるように、このガイドレール８による引き棒７のガイド方向Ｂを設定したため、簡単な構成で上記バックドア３の開閉操作に連動させてトノカバー３の後端部をスムーズに昇降駆動することにより、このトノカバー６を下方の被覆位置と上方の開放位置とに移動させることができる。
【００３７】
すなわち、上記バックドア３の開閉操作に応じて引き棒７がガイドレール８に沿ってスライド変位するとともに、これに連動してトノカバー６の後端部が昇降駆動されるように構成されているため、別体の駆動手段を設けることなく簡単な構成で、バックドア３の開閉操作に連動させてトノカバー６の後端部を昇降駆動することができる。これにより上記バックドア３の開放時には、トノカバー６の後端部を上方の開放位置に移動させて後部荷室５に対する荷物の出し入れを容易に行うことができるとともに、バックドア３の閉止時には、トノカバー６の後端部を下方の閉止位置に移動させて後部荷室５内の荷物をトノカバー６により隠蔽できるという利点がある。
【００３８】
また、車体の側面から見て上記ガイドレール８の上下方向中央部を車体の前部下方側に向けて凹入させるように湾曲させた状態で設置したため、車体の後面から見て後方開口部２の左右両側辺部が上窄まりに傾斜するとともに、平面から見て後端部に至る程車体の幅寸法が小さくなるように構成された後部車体において、上記ガイドレール８を、車両の後方開口部２よりも所定距離だけ前方側に配設することにより、車体の後面視において左右のガイドレール８の設置間隔を充分に確保しつつ、左右のガイドレール８を平行に設置することができる。
【００３９】
したがって、従来技術に示すように、上記引き棒の左右両端部に突出量が変化する出没ピンを設ける等の手段を講じることなく、引き棒７の左右両端部をガイドレール８に常時、支持させることによって構造を簡略化することができるとともに、車体の後面から見て後方開口部２の左右両側辺部が上窄まりに傾斜していることに起因して、図２の破線で示すように、ガイドレール８ａの下端部が後方開口部２の内方側に位置した状態となるのを防止し、図２の実線で示すようにガイドレール８の下端部を後方開口部２の外方側に配設することができる。これにより、後部荷室５に対して荷物を出し入れする際に、上記ガイドレール８が邪魔になるのを防止できるとともに、上記両ガイドレール８の間に配設されるトノカバー６の幅寸法を充分に確保できるという利点がある。
【００４０】
しかも、バックドア３の閉止操作時に、上記連結リンク９から引き棒７に作用する閉止操作力Ｆの入力方向Ａとガイドレール８による引き棒７のガイド方向Ｂとがなす角度θが鈍角となるように、このガイドレール８による引き棒７のガイド方向Ｂを設定したため、上記のようにガイドレール８を、車両の後方開口部２よりも所定距離だけ前方側に配設した場合においても、開放状態にあるバックドア３の閉止操作を開始する際に、上記引き棒７をガイドレール８に沿ってスライド変位させる際の摩擦力が大きくなるのを抑制し、上記バックドア３の開閉操作に連動してトノカバー６の後端部をスムーズに昇降駆動することができる。
【００４１】
すなわち、開放状態にあるバックドア３から連結リンク９を介して引き棒７に入力される閉止操作力の水平面に対する傾斜角度は、上記ガイドレール８を車両の後方開口部２よりも前方側に配設するのに対応して小さくなり、上記閉止操作力の入力方向Ａが水平に近付くため、上記閉止操作力に応じてガイドレール８に沿って下方に移動させる移動力が減少する傾向がある。しかし、図５に示すように、車体の側面から見て上記ガイドレール８の上下方向中央部を車体の前部下方側に向けて凹入させるように湾曲させるとともに、バックドア３の閉止操作時に、上記連結リンク９から引き棒７に入力される閉止操作力Ｆの入力方向Ａとガイドレール８による引き棒７のガイド方向Ｂとがなす角度θが鈍角となるようにガイドレール８のガイド方向Ｂを設定した場合には、上記のようにガイドレール８を車両の後方開口部２よりも前方側に配設したにも拘わらず、図６（ａ）に示すように、上記閉止操作力Ｆに応じて連結リンク９の下端枢支部２１および引き棒７を下方にスライド変位させる移動力Ｇを充分に確保し、上記バックドア３の開閉操作に連動してトノカバー６の後端部をスムーズに昇降駆動することができる。
【００４２】
また、上記実施形態に示すように、ガイドレール８の上端部における閉止操作力Ｆの入力方向Ａと引き棒７のガイド方向Ｂとがなす角度θを、ガイドレール８の上下方向中間部における閉止操作力の入力方向Ａと引き棒７のガイド方向Ｂとがなす角度θよりも大きな値に設定した場合には、静止摩擦力が作用するバックドア３の閉止操作を行う際の初期段階において、上記連結リンク９から引き棒７に入力される閉止操作力Ｆに対応して連結リンク９の下端枢支部２１および引き棒７を下方にスライド変位させる移動力Ｇを充分に確保するとともに、上記閉止操作力Ｆのガイド方向Ｂと直交する方向Ｃに作用する分力Ｈに摩擦係数μをかけた値により表される上記摩擦力を充分に低く抑えることにより、バックドア３の閉止操作をスムーズに行うことができるという利点がある。
【００４３】
さらに、上記実施形態では、ガイドレール８の下端部における引き棒７のガイド方向Ｂを略水平に設定したため、製作誤差または使用による変形等が生じることに起因してバックドア３の閉止時点における上記引き棒７のガイド位置に多少の変化が生じた場合でも、トノカバー６の上下位置が変化するという事態を生じるのを効果的に防止し、これによってトノカバー６を下方に閉止位置に移動させた際に、その設置高さおよび設置方向が変化するのを防止できるという利点がある。
【００４４】
特に、上記閉止操作力の入力方向Ａと引き棒７のガイド方向Ｂとがなす角度θが変化する部位において、この角度θを連続的に変化させるように構成した場合には、この角度θが上記部位で急変することに起因して引き棒７のスライド変位時に、がたつきが生じるのを効果的に防止できるため、この引き棒７をガイドレール８に沿ってスムーズにスライド変位させることができるという利点がある。
【００４５】
また、上記実施形態では、ガイドレール８の上方部を、車体の側面から見て後下がりに傾斜して略直線状に延びる後方開口部２からその前方側に離間させるとともに、ガイドレール８の下端部を、上記後方開口部２に接近させるようにガイドレール８を設置することにより、車体の後面視において左右のガイドレール８を平行に設置するとともに、両ガイドレール８の設置間隔を充分に確保しつつ、バックドア３の閉止時に、上記引き棒７およびトノカバー６の後端部を後方開口部２の側辺部に近接した位置まで移動させるように構成している。
【００４６】
上記のようにガイドレール８の上方部を、上記後方開口部２からその前方側に離間させた場合には、バックドア３の開放操作時に上記ガイドレール８に沿って上方に移動する連結リンク９の上方部が上記後部ピラー２５の側辺部に干渉するのを防止することができるとともに、車体の後面視において左右のガイドレール８を上記後部ピラー２５に干渉させることなく、両ガイドレール８の設置間隔を充分に確保しつつ、左右ガイドレール８を平行に設置することができる。しかも、バックドア３の閉止状態では、上記引き棒７およびトノカバー６の後端部を後方開口部２の側辺部に近接した位置まで移動させるように構成したため、上記後部荷室５の後部を含む略全領域をトノカバー６によって被覆することが可能となり、このトノカバー６による収容物の隠蔽機能を充分に発揮できるという利点がある。
【００４７】
上記実施形態では、ガイドレール８に対する下端枢支部２１の連結点からなる連結リンク９のレール側枢支点Ｌ２を、バックドア３に対する上端枢支部１８の連結点からなる連結リンク９のドア側枢支点Ｌ１よりも車外側に位置させたため、バックドア３の開放時に、上記連結リンク９の上方部が後方開口部２の側辺部に当接するのを防止しつつ、上記バックドア３の開放時にトノカバー６の後端部を充分に高い位置まで上昇させることができるとともに、上記ガイドレール８を車幅方向の外方側に位置させることによりトノカバー６の幅寸法を充分に確保できるという利点がある。
【００４８】
すなわち、バックドア３の開放時にトノカバー６の後端部を大きく上方に移動させるために、ガイドレール８の上端部を後方開口部２の上辺部近傍まで延出させた場合には、上記バックドア３の開放時にガイドレール８に沿って上方に移動した連結リンク９の上方部が、車体の後面から見て上窄まりに傾斜した後方開口部２の側辺部に干渉し易くなる傾向がある。また、上記連結リンク９の下端枢支部２１が連結されるガイドレール８を車体の内方側に位置させた場合には、左右ガイドレール８の設置間隔が小さくなって、その間に配設されるトノカバー６の幅寸法が小さくなることが避けられないとともに、後部荷室５に対して荷物の出し入れを行う際に上記ガイドレール８が邪魔になるという問題がある（図２の破線８ａ参照）。
【００４９】
これに対して上記実施形態に示すように、連結リンク９のレール側枢支点Ｌ２をドア側枢支点Ｌ１よりも車外側に位置させた場合には、バックドア３の開放時にトノカバー６の後端部を大きく上方に移動させるために、ガイドレール８の上端部を後方開口部２の上辺部近傍まで延出させた場合においても、ドア側枢支点Ｌ１の近傍に位置する連結リンク９の上方部（垂下部１９）を、後方開口部２の側辺部よりも内方側に位置させることにより、上記連結リンク９の上方部が後方開口部２の側辺部に干渉するのを防止することができる。また、上記レール側枢支点Ｌ２をドア側枢支点Ｌ１よりも車外側に位置させて左右ガイドレール８の設置間隔を充分に確保することにより、両ガイドレール８間に配設されるトノカバー６の幅寸法を大きくすることができるとともに、後部荷室５に対して荷物の出し入れを行う際に上記ガイドレール８が邪魔になるのを防止できる等の利点がある。
【００５０】
特に、上記実施形態に示すように、連結リンク９の垂下部１９および折曲部２０を、車体の後面から見て下部外方側に延びるように傾斜させることにより、図２に示すように、バックドア３の閉止時に、上記連結リンク９の垂下部１９および折曲部２０を後方開口部２の側辺部に沿わせるよう配設した場合には、上記連結リンク９によって後方視界が妨げられるのを防止しつつ、バックドアの開放時に、上記連結リンク９の上方部が後方開口部２の側辺部に干渉するのを防止できるという利点がある。
【００５１】
また、上記実施形態では、上記連結リンク９の垂下部１９に対して上記折曲部２０を車体の前方側に向けて斜めに延びるように設置することにより、上記連結リンク９の上下方向中間部を車体の後方側に位置させて連結リンク９を車体の側面から見てＬ字状に形成したため、図１の仮想線で示すように、バックドア３を開放状態としてガイドレール８の上端部まで連結リンク９の上端枢支部１８を移動させた場合においても、この連結リンク９の上方部が後方開口部２の上辺部に当接するのを効果的に防止できるという利点がある。
【００５２】
なお、上記実施形態では、バックドア３の開閉操作に応じて引き棒７をガイドレール８に沿ってスライド変位させる際に、トノカバー６が垂れ下がった状態となること等を防止するため、上記シートバック４の背面上部に沿って設置された収納ケース１０内に配設された巻取機構によりトノカバー６に所定の巻取張力を付与するように構成した例について説明したが、この構成に代え、伸縮性を有する素材で上記トノカバー６を形成することにより、上記巻取機構を設けることなく、引き棒７の上下動に応じてトノカバー６が垂れ下がった状態となるのを防止するようにしてもよい。
【図面の簡単な説明】
【００５３】
【図１】本発明に係るトノカバーの開閉装置の実施形態を示す側面図である。
【図２】本発明に係るトノカバーの開閉装置の実施形態を示す背面図である。
【図３】本発明に係るトノカバーの開閉装置の実施形態を示す平面図である。
【図４】連結レバーおよびガイドレールの具体的構成を示す斜視図である。
【図５】ガイドレールによる引き棒のガイド方向等を示す説明図である。
【図６】閉止操作方向とガイド方向との対応関係等を示す説明図である。
【符号の説明】
【００５４】
１  上方ヒンジ部
２  後方開口部
３  バックドア
５  後部荷室
６  トノカバー
７  引き棒
８  ガイドレール
９  連結リンク
【図１】
0004561609.tif 000002
【図２】
0004561609.tif 000003
【図３】
0004561609.tif 000004
【図４】
0004561609.tif 000005
【図５】
0004561609.tif 000006
【図６】
0004561609.tif 000007